(57)【特許請求の範囲】
【請求項１】
第１の周波数帯の信号をこれより周波数が低い第２の周波数帯の周波数の信号に変換する周波数変換手段と、入力される前記第２周波数帯の信号又は前記周波数変換がなされた第１周波数帯の信号のうちいずれかを選択的に出力して供給するスイッチ手段と、選択的に供給される各信号について復調を行う共通の復調手段とを備えた受信機において、
前記第２周波数帯の信号について復調が行われるときには、前記スイッチ手段に入力される第２周波数帯の信号を通過させるとともに、前記周波数変換がなされた第１周波数帯の信号について復調が行われるときには、前記スイッチ手段に入力される第２周波数帯の信号強度を減衰させるフィルタを前記スイッチ手段よりも前に具備し、
前記フィルタとして、カットオフ周波数が可変なローパスフィルタ及び通過周波数帯が可変なバンドパスフィルタを有することを特徴とする受信機。
【請求項２】
前記周波数変換がなされた第１周波数帯の信号について復調が行われるときには、前記カットオフ周波数を前記第２周波数帯の下限の周波数よりも下げ、かつ、前記通過周波数帯の周波数の下限を前記第２周波数帯の周波数の上限より上げることにより、前記フィルタによる第２周波数帯の信号強度の減衰を行うことを特徴とする請求項１に記載の受信機。
【請求項３】
前記第２周波数帯の信号について復調が行われるときに、前記スイッチ手段に入力される第２周波数帯の信号強度を前記スイッチ手段に入力される前に増幅する増幅手段を備え、この増幅手段は、前記周波数変換がなされた第１周波数帯の信号について復調が行われるときには、電源がオフとされることにより前記スイッチ手段に入力される第２周波数帯の信号強度を減衰させるものであることを特徴とする請求項１又は２に記載の受信機。
【請求項４】
前記スイッチ手段に入力される第２周波数帯の信号強度を可変的に減衰させる可変減衰手段を前記スイッチ手段より前に備え、この可変減衰手段は、前記第２周波数帯の信号について復調が行われるときには前記第２周波数帯の信号の強度をその強度に応じて調整するものであり、前記周波数変換がなされた第１周波数帯の信号について復調が行われるときには前記スイッチ手段に入力される第２周波数帯の信号の強度を所定の減衰量でもって減衰させるものであることを特徴とする請求項３に記載の受信機。
【請求項５】
前記可変減衰手段は前記第２周波数帯の信号について復調が行われるときには前記第２周波数帯の信号強度の調整を前記増幅手段への利得制御電圧に基づいて行うものであることを特徴とする請求項４に記載の受信機。
【請求項６】
第１の周波数帯の信号を第２の周波数帯の周波数の信号に変換する周波数変換手段と、入力される前記第２周波数帯の信号又は前記周波数変換がなされた第１周波数帯の信号のうちいずれかを選択的に出力して供給するスイッチ手段と、選択的に供給される各信号について復調を行う共通の復調手段とを備えた受信機において、
前記第２周波数帯の信号を、前記スイッチ手段への入力前に増幅する増幅手段を具備し、
前記増幅手段は、前記周波数変換がなされた第１周波数帯の復調が行われるときには、電源がオフとされることにより前記スイッチ手段に入力される第２周波数帯の信号強度を減衰させるものであることを特徴とする受信機。
【発明の詳細な説明】
【０００１】
【発明の属する技術分野】
本発明は、受信機に関する。
【０００２】
【従来の技術】
受信信号に含まれる異なるバンド（周波数帯）の信号について、周波数変換回路を用いて周波数を揃え、共通の受信部で受信（復調）することができる装置が知られている。たとえば、近年開発された地上放送波又は衛星放送波を用いたデジタル音声放送の一方式であるＤＡＢ（Digital Audio Broadcasting）による放送を受信する受信機がそれに該当する。ＤＡＢでは、Ｂａｎｄ（バンド）−IIIと、Ｌ−Ｂａｎｄの２つの周波数帯が使用されている。Ｂａｎｄ−IIIの周波数帯域は１７４〜２４０ＭＨｚであり、Ｌ−Ｂａｎｄの周波数帯域は１４５２〜１４９２ＭＨｚである。
【０００３】
図６はこのような従来例に係るＤＡＢ用の受信機の構成を示すブロック図である。この受信機はＬ−Ｂａｎｄ及びＢａｎｄ−IIIの両周波数帯域の信号を受信するものであるが、周波数が低いＢａｎｄ−IIIの信号はそのままＢａｎｄ−III受信部１へ供給し、周波数が高いＬ−Ｂａｎｄの信号については、Ｂａｎｄ−IIIの周波数に変換してからＢａｎｄ−III受信部１へ供給するようにして、Ｂａｎｄ−III受信部１を共用している。つまり、アンテナ入力端子２とスイッチＳＷとの間に、Ｌ−Ｂａｎｄ用の周波数変換部３及びＢａｎｄ−III用のＬＰＦ（Low Pass Filter；ローパスフィルタ）４を並列に設け、アンテナ入力端子２を経て入力されるアンテナＡＮＴからの受信信号を、スイッチＳＷの切換え状態に応じ、周波数変換部３又はＬＰＦ４を経てＢａｎｄ−III受信部１に供給するようにしている。
【０００４】
周波数変換部３は、受信信号からＬ−Ｂａｎｄの信号を抽出するＢＰＦ（Band Pass Filter；バンドパスフィルタ）５、ＢＰＦ５の出力を増幅するＲＦ増幅器６、増幅したＬ−Ｂａｎｄの信号をＢａｎｄ−IIIの周波数に変換する周波数変換器（ミキサ）７、周波数変換器７に一定周波数の信号を供給する局部発振器（ＰＬＬ：Phase Locked Loop）８、及び、周波数変換器７の出力に基づきＲＦ増幅器６の利得を制御するＡＧＣ（Automatic Gain Control）電圧を出力するＡＧＣ検波器９を備える。スイッチＳＷの一方の入力端子ｔ１にはＬＰＦ４の出力側が接続され、他方の入力端子ｔ２には周波数変換器７の出力側が接続されている。
【０００５】
Ｂａｎｄ−III受信部１はスイッチＳＷの出力を入力とするＲＦ増幅部１０、ＲＦ増幅部１０の出力を中間周波数（ＩＦ：Intermediate Frequency）に変換する周波数変換部１１、周波数変換部１１の出力に基づきＲＦ増幅部１０に対し利得制御電圧（ＡＧＣ電圧）を供給するＡＧＣ検波器１２、周波数変換部１１の出力を増幅するＩＦ増幅部１３、ＩＦ増幅部１３からの信号に基づいて復調を行う復調部１４を備える。ＲＦ増幅部１０はスイッチＳＷの出力を所定の通過周波数帯域に制限してから増幅し、さらに、所定の通過周波数帯域に制限するＢＰＦ１５、ＲＦ増幅器１６及びＢＰＦ１７を有する。周波数変換部１１は、受信周波数に対応した周波数の信号を出力する局部発振器（ＰＬＬ）１８と、ＢＰＦ１７の出力を、それに局部発振器１８からの信号を混合することにより中間周波数に変換する周波数変換器１９とを有する。
【０００６】
図中の２０は、目的とするＢａｎｄ−III又はＬ−Ｂａｎｄの受信を行うことができるように、スイッチＳＷの切換え、周波数変換部３の電源のオン・オフ、ＢＰＦ１５及び１７の通過周波数帯域、局部発振器１８の発振周波数等を制御する制御部である。
【０００７】
この構成において、Ｌ−Ｂａｎｄを受信する場合は、スイッチＳＷを端子ｔ２側に切り換える。このとき、アンテナ入力端子２を経て周波数変換部３に入力されたアンテナＡＮＴからの受信信号は、ＢＰＦ５によりその通過周波数帯域に制限され、ＲＦ増幅器６で増幅され、周波数変換器７において局部発振器８からの信号と混合され、Ｂａｎｄ−IIIの周波数帯域（１７４〜２４０ＭＨｚ）内の信号に変換される。周波数変換された信号は、ＲＦ増幅器６への利得制御電圧（ＡＧＣ電圧）を発生させるためにＡＧＣ検波器９へ入力されるとともに、スイッチＳＷを経てＢａｎｄ−III受信部１に入力され、復調される。
【０００８】
Ｂａｎｄ−IIIを受信する場合にはスイッチＳＷを端子ｔ１側に切り換える。このとき、アンテナ入力端子２に入力されたアンテナＡＮＴからの信号は、ＬＰＦ４で高域成分が制限され、そしてスイッチＳＷを経由してＢａｎｄ−III受信部１に入力され、復調される。この間、周波数変換部３は、制御部２０からの制御信号により、電源が切られている。
【０００９】
Ｂａｎｄ−III受信部１に入力されたスイッチＳＷからの信号は、ＢＰＦ１５でその通過周波数帯域に制限され、ＲＦ増幅器１６で増幅され、さらにＢＰＦ１７においてその通過周波数帯域に制限されてから、周波数変換器１９に入力される。周波数変換器１９に入力された信号は、局部発振器１８からの信号と混合されて中間周波数に変換される。中間周波数に変換された信号は、ＡＧＣ検波器１２に供給され、ＲＦ増幅器１６への利得制御電圧（ＡＧＣ電圧）を発生させるとともに、ＩＦ増幅部１３で増幅され、復調部１４で復調される。
【００１０】
【発明が解決しようとする課題】
しかしながらこの従来技術によれば、スイッチＳＷとして半導体スイッチやリレー等が使用されており、スイッチＳＷのアイソレーションは３０ｄＢ程度であるため、スイッチＳＷが倒れていない方（導通しない方）の端子に対してもスイッチＳＷを通過する信号（導通している側の信号）より約３０ｄＢ低い信号が出力される（漏れてしまう）。このようにスイッチＳＷのアイソレーションが十分でない状態において、周波数の高いＬ−Ｂａｎｄを受信しているとき、周波数の低いＢａｎｄ−IIIの信号が強電界であると、その強電界信号の妨害を受け、復調を行うことができないという問題を生じる。なお、周波数が低いＢａｎｄ−IIIの受信中に周波数が高いＬ−Ｂａｎｄの信号が妨害となる状況も考えられるが、この場合には、周波数変換部３の電源を切断する等の対策を講ずることができるため、問題はない。
【００１１】
また、アンテナ入力端子２からＲＦ増幅器１６までにおける信号損失はＢａｎｄ−IIIの受信感度に影響するので、この損失を少なくするために、アンテナ入力端子２からスイッチＳＷまでの距離を短くする必要がある。このため、ＬＰＦ４と周波数変換部３の部品の配置が制限されるという問題もある。
【００１２】
本発明の目的は、このような従来技術の問題点に鑑み、受信機において、高い方の周波数帯の受信中に受ける恐れのある低い方の周波数帯の影響を防止することにある。また、アンテナ入力端子からスイッチまでの距離を短くする必要性を排除して部品配置の自由度を向上させることにある。
【００１３】
【課題を解決するための手段】
この目的を達成するため、第１の発明に係る受信機は、第１の周波数帯の信号をこれより周波数が低い第２の周波数帯の周波数の信号に変換する周波数変換手段と、入力される前記第２周波数帯の信号又は前記周波数変換がなされた第１周波数帯の信号のうちいずれかを選択的に出力して供給するスイッチ手段と、選択的に供給される各信号について復調を行う共通の復調手段とを備えた受信機において、前記第２周波数帯の信号について復調が行われるときには、前記スイッチ手段に入力される第２周波数帯の信号を通過させるとともに、前記周波数変換がなされた第１周波数帯の信号について復調が行われるときには、前記スイッチ手段に入力される第２周波数帯の信号強度を減衰させるフィルタを前記スイッチ手段よりも前に具備することを特徴とする。
【００１４】
ここで、受信機としては、たとえばＤＡＢ（Digital Audio Broadcasting）によるＢａｎｄ−III及びＬ−Ｂａｎｄの放送を受信する車載用の受信機が該当する。また、「第１周波数帯の信号」は、第１周波数帯中の一部の帯域の信号のみからなるものであってもよい。第２周波数帯の信号についても同様である。
【００１５】
この構成において、第１周波数帯を受信する場合、第１周波数帯の信号は第２周波数帯の周波数に変換され、スイッチ手段を経て復調手段に供給される。その際、スイッチ手段に入力される第２周波数帯の信号による悪影響を受け、周波数変換がなされた第１周波数帯の信号について復調できなくなるおそれがあるが、このとき、第２周波数帯の信号強度を、フィルタによって、スイッチ手段への入力前に減衰するようにしているため、その悪影響が防止されることになる。一方このフィルタは、第２周波数帯の信号について復調が行われるときには、第２周波数帯の信号を通過させる。
【００１６】
第２の発明に係る受信機は、第１発明において、前記フィルタとして、カットオフ周波数が可変なローパスフィルタ及び通過周波数帯が可変なバンドパスフィルタを有することを特徴とする。
【００１７】
第３の発明に係る受信機は、第２発明において、前記周波数変換がなされた第１周波数帯の信号について復調が行われるときには、前記カットオフ周波数を前記第２周波数帯の下限の周波数よりも下げ、かつ、前記通過周波数帯の周波数の下限を前記第２周波数帯の周波数の上限より上げることにより、前記フィルタによる第２周波数帯の信号強度の減衰を行うことを特徴とする。
【００１８】
第４の発明に係る受信機は、第１〜第３発明において、前記第２周波数帯の信号について復調が行われるときに、前記スイッチ手段に入力される第２周波数帯の信号強度を前記スイッチ手段に入力される前に増幅する増幅手段を備え、この増幅手段は、前記周波数変換がなされた第１周波数帯の信号について復調が行われるときには、電源がオフとされることにより前記スイッチ手段に入力される第２周波数帯の信号強度を減衰させるものであることを特徴とする。
【００１９】
第５の発明に係る受信機は、第４発明において、前記スイッチ手段に入力される第２周波数帯の信号強度を可変的に減衰させる可変減衰手段を前記スイッチ手段より前に備え、この可変減衰手段は、前記第２周波数帯の信号について復調が行われるときには前記第２周波数帯の信号の強度をその強度に応じて調整するものであり、前記周波数変換がなされた第１周波数帯の信号について復調が行われるときには前記スイッチ手段に入力される第２周波数帯の信号の強度を所定の減衰量でもって減衰させるものであることを特徴とする。
【００２０】
第６の発明に係る受信機は、第５発明において、前記可変減衰手段は前記第２周波数帯の信号について復調が行われるときには前記第２周波数帯の信号強度の調整を前記増幅手段への利得制御電圧に基づいて行うものであることを特徴とする。
【００２１】
第７の発明に係る受信機は、第１の周波数帯の信号を第２の周波数帯の周波数の信号に変換する周波数変換手段と、入力される前記第２周波数帯の信号又は前記周波数変換がなされた第１周波数帯の信号のうちいずれかを選択的に出力して供給するスイッチ手段と、選択的に供給される各信号について復調を行う共通の復調手段とを備えた受信機において、前記第２周波数帯の信号を、前記スイッチ手段への入力前に増幅する増幅手段を具備することを特徴とする。
【００２２】
従来、スイッチ手段までの距離を短くして信号損失の受信感度に対する影響を少なくする必要があったが、本発明では、第２周波数帯の信号の強度を、スイッチ手段に入力される前に増幅できるようにして、スイッチ手段までの距離を短くする必要性を排除し、部品配置の自由度を確保している。
【００２３】
そして第８の発明に係る受信機は、第７発明において、前記増幅手段は、前記周波数変換がなされた第１周波数帯の復調が行われるときには、電源がオフとされることにより前記スイッチ手段に入力される第２周波数帯の信号強度を減衰させるものであることを特徴とする。
【００２４】
【発明の実施の形態】
図１は本発明の一実施形態に係る受信機の構成を示すブロック図である。この受信機は、アンテナＡＮＴに接続されたアンテナ入力端子２とスイッチＳＷとの間に並列に設けられたＬ−Ｂａｎｄ用の周波数変換部３及びＢａｎｄ−III用のＲＦ増幅部２１、スイッチＳＷの出力を入力とする受信部２２、各部の制御を行う制御部２３を備える。周波数変換部３の出力側はスイッチＳＷの入力端子ｔ２に接続され、ＲＦ増幅部２１の出力側はスイッチＳＷの入力端子ｔ１に接続されている。アンテナ入力端子２を経て入力されるアンテナＡＮＴからの受信信号が周波数変換部３を経由して受信部２２に供給される場合と、Ｂａｎｄ−IIIＲＦ増幅部２１を経由して受信部２２に供給される場合とが、スイッチＳＷにより切り換えられるようになっている。周波数変換部３の構成は図６のものと同様である。
【００２５】
Ｂａｎｄ−IIIＲＦ増幅部２１は、アンテナ入力端子２に入力されたアンテナＡＮＴからの受信信号を入力とし、その高域成分を制限して出力するＬＰＦ（ローパスフィルタ）２５、これをさらに所定の通過帯域に制限するＢＰＦ（バンドパスフィルタ）２６、及び、ＢＰＦ２６の出力を増幅するＲＦ増幅器２７を有する。ＲＦ増幅器２７の出力側はスイッチＳＷの入力端子ｔ１に接続されている。
【００２６】
受信部２２はスイッチＳＷの出力を入力とするＢＰＦ（バンドパスフィルタ）２８、ＢＰＦ２８の出力を中間周波数の信号に変換する周波数変換部２９、周波数変換部２９の出力に基づきＲＦ増幅器２７に対し利得制御電圧（ＡＧＣ電圧）を供給するＡＧＣ検波器３０、周波数変換部２９の出力を増幅するＩＦ増幅部３１、ＩＦ増幅部３１からの信号を復調する復調部３２を備える。周波数変換部２９は、受信周波数に対応した周波数の信号を出力する局部発振器（ＰＬＬ）３３と、ＢＰＦ２８の出力を、それに局部発振器３３からの信号を混合することにより中間周波数の信号に変換する周波数変換器３４とを有する。
【００２７】
制御部２３は、目的とするＢａｎｄ−III又はＬ−Ｂａｎｄの受信を行うことができるように、スイッチＳＷの切換え、周波数変換部３及びＲＦ増幅器２７の電源のオン・オフ、ＬＰＦ２５やＢＰＦ２６及び２８の通過周波数帯域、並びに局部発振器３３の発振周波数を制御する。
【００２８】
この構成において、Ｌ−Ｂａｎｄを受信する場合には、スイッチＳＷを端子ｔ２側に切り換える。この場合、アンテナ入力端子２を経て周波数変換部３に入力されるアンテナＡＮＴからの受信信号は、ＢＰＦ５でその通過帯域に制限され、ＲＦ増幅器６で増幅され、さらに周波数変換器７で局部発振器８からの信号と混合されてＢａｎｄ−IIIの周波数帯域（１７４〜２４０ＭＨｚ）内の周波数に変換される。周波数変換された信号は、ＲＦ増幅器６への利得制御電圧（ＡＧＣ電圧）を発生させるためにＡＧＣ検波器９に入力されるとともに、スイッチＳＷを経由して受信部２２に入力され、復調される。
【００２９】
その際、制御部２３はＬＰＦ２５に対し、カットオフ周波数を１７４ＭＨｚ以下の所定の周波数とする制御信号を与え、また、ＢＰＦ２６には、通過周波数帯域を２４０ＭＨｚ以上とする制御信号を与える。これにより図２に示すように、ＬＰＦ２５の通過帯域は斜線部４１となり、ＢＰＦ２６の通過帯域は斜線部４２となる。したがってＬＰＦ２５とＢＰＦ２６の組合せによるＢａｎｄ−IIIの周波数帯域内での減衰量は実測値で約５０ｄＢ程度となる。
【００３０】
Ｂａｎｄ−IIIを受信する場合は、スイッチＳＷを端子ｔ１側に切り換える。この場合、アンテナ入力端子２を経てＢａｎｄ−IIIＲＦ増幅部２１に入力される信号は、ＬＰＦ２５で高域成分が制限され、ＢＰＦ２６でその通過帯域に制限され、さらにＲＦ増幅器２７で増幅され、スイッチＳＷを経由して受信部２２に入力される。
【００３１】
この間、ＲＦ増幅器２７の利得が、受信部２２からのＡＧＣ電圧により制御される。また、制御部２３はＬＰＦ２５に対し、カットオフ周波数を２４０ＭＨｚ以上の所定の周波数とする制御信号を与えるとともに、ＢＰＦ２６に対してはＢａｎｄ−IIIの受信信号が通過可能な通過帯域とする制御信号を与える。これにより、図３に示すように、ＬＰＦ２５の通過帯域は斜線部４３となり、ＢＰＦ２６の通過帯域は斜線部４４となる。またこの間、周波数変換部３は、制御部２３からの制御信号により電源がオフとされる。
【００３２】
スイッチＳＷを経由して受信部２２に入力される信号は、ＢＰＦ２８でその通過帯域に制限され、周波数変換器３４において局部発振器３３からの信号と混合されて中間周波数の信号に変換される。変換された信号はＲＦ増幅器２７への利得制御電圧（ＡＧＣ電圧）を発生させるためにＡＧＣ検波回路３０に供給されるとともに、ＩＦ増幅部３１で増幅され、さらに復調部３２で復調される。
【００３３】
図４はＬＰＦ２５及びＢＰＦ２６の構成を示す回路図である。同図において、Ｌ１、Ｌ２及びＬ３は入力端子ＩＮに対して直列に接続されたコイル、Ｃ１、Ｃ３及びＣ５はそれぞれコイルＬ１、Ｌ２及びＬ３の出力側に一端が接続されたコンデンサ、Ｄ１、Ｄ２及びＤ３はそれぞれコンデンサＣ１、Ｃ３及びＣ５の他端とアースとの間に接続されたバラクタダイオード、Ｒ１、Ｒ２及びＲ３はそれぞれバイパスコンデンサＣ２、Ｃ４及びＣ６を介してバラクタダイオードＤ１、Ｄ２及びＤ３に並列に接続された制御電圧印加用の抵抗であり、これらによりＬＰＦ２５が構成されている。コイルＬ１、Ｌ２及びＬ３、コンデンサＣ１、Ｃ３及びＣ５並びにバラクタダイオードＤ１、Ｄ２及びＤ３は低域通過型フィルタを形成しており、そのカットオフ周波数は、抵抗Ｒ１、Ｒ２及びＲ３に印加する制御部２３からの制御電圧によってバラクタダイオードＤ１、Ｄ２及びＤ３の容量を変化させることにより制御できるようになっている。
【００３４】
Ｌ-Ｂａｎｄの受信時には制御電圧印加用の抵抗Ｒ１、Ｒ２及びＲ３に加える電圧を低くすることによってバラクタダイオードＤ１、Ｄ２及びＤ３の容量を増加させ、カットオフ周波数をＢａｎｄ−IIIの周波数帯域の下限より低くする。Ｂａｎｄ−IIIの受信時には、抵抗Ｒ１、Ｒ２及びＲ３に加える電圧を高くすることによってバラクタダイオードＤ１、Ｄ２及びＤ３の容量を減少させ、カットオフ周波数をＢａｎｄ−IIIの周波数帯域の上限より高くする。
【００３５】
Ｃ７及びＣ８はＬＰＦ２５の出力側に直列に接続されたコンデンサ、Ｄ４及びＣ９はコンデンサＣ７及びＣ８の接続点とアースの間に直列して挿入されたバラクタダイオード及びコンデンサ、Ｌ４はバラクタダイオードＤ４及びコンデンサＣ９の直列回路と並列に接続されたコイル、Ｒ４は一端がバラクタダイオードＤ４及びコンデンサＣ９の接続点に接続され、他端がバイパスコンデンサＣ１０を介してアースに接続された制御電圧印加用の抵抗であり、これらによりＢＰＦ２６を構成している。コイルＬ４、コンデンサＣ７、Ｃ８及びＣ９、並びにバラクタダイオードＤ４により並列同調回路を構成している。制御部２３からの制御電圧を制御電圧印加用抵抗Ｒ４に印加してバラクタダイオードＤ４の容量を変化させることにより、同調周波数を可変とすることができる。同調周波数を可変とすることにより、ＢＰＦ２６の通過周波数帯域を変化させることができる。
【００３６】
Ｌ−Ｂａｎｄの受信時には、制御電圧印加用抵抗Ｒ４に加える電圧を高くしてバラクタダイオードＤ４の容量を減少させ、通過周波数帯域（同調周波数）をＢａｎｄ−IIIの周波数帯域の上限より高くする。また、Ｂａｎｄ−IIIの受信時には、その周波数に同調周波数が合致するような電圧を制御電圧印加用抵抗Ｒ４に加える。
【００３７】
本実施形態によれば、Ｌ-Ｂａｎｄの受信時にＢａｎｄ−IIIの信号が強電界であり、かつスイッチＳＷのアイソレーションが十分でないときでも、ＬＰＦ２５とＢＰＦ２６の組合せによる減衰効果により、Ｂａｎｄ−IIIの強電界の信号を大幅に減衰させ、その強電界信号の妨害によりＬ−Ｂａｎｄの復調が困難となるのを防止することができる。
【００３８】
また、制御部２３からの電源制御信号によってＲＦ増幅器２７の電源を切断することにより、ＲＦ増幅器２７を減衰器として働かせ、Ｂａｎｄ−IIIに対する減衰量をさらに増大させることができる。
【００３９】
そして、アンテナ入力端子２からスイッチＳＷまでの間にＬＰＦ２５及びＢＰＦ２６だけでなく、ＲＦ増幅器２７を挿入するようにしたため、アンテナ入力端子２からスイッチＳＷまでの距離が短くなるように部品を配置する必要がなくなる。さらに、アンテナ入力端子２からＲＦ増幅器２７までの間にスイッチＳＷが位置しないため、アンテナ入力端子２からＲＦ増幅器２７までの損失を少なくすることができる。
【００４０】
ところで、図１の受信機において、Ｌ−Ｂａｎｄ受信時にＢａｎｄ−IIIの強電界信号により復調が困難な場合は、ＲＦ増幅部２１内のＬＰＦ２５とＢＰＦ２６との間に可変減衰器を追加して、Ｂａｎｄ−IIIの信号減衰量を増加させるのが好ましい。そこで、本発明の他の実施形態に係る受信機では、図５に示すように、図１の構成において、Ｂａｎｄ−IIIＲＦ増幅部２１の代わりにＢａｎｄ−IIIＲＦ増幅部５１を設けた構成としている。Ｂａｎｄ−IIIＲＦ増幅部５１は、Ｂａｎｄ−IIIＲＦ増幅部２１に対し、ＬＰＦ２５及びＢＰＦ２６間に可変減衰器５２を追加するとともに、その減衰量を調整する制御電圧を出力する電圧変換器５３を設けたものである。電圧変換器５３はＲＦ増幅器２７へのＡＧＣ信号及び電源制御信号に基づいて制御電圧を出力する。他のスイッチＳＷ、周波数変換部３、受信部２２、制御部２３等の構成は図１の場合と同様である。
【００４１】
この構成において、Ｂａｎｄ−IIIを受信する場合は、スイッチＳＷを端子ｔ１側に切り換える。この場合、アンテナ入力端子２を経てＢａｎｄ−IIIＲＦ増幅部５１に入力される信号は、ＬＰＦ２５で高域成分が制限され、可変減衰器５２により減衰量が調整される。減衰量の調整は、Ｂａｎｄ−III受信部２２からＲＦ増幅器２７へのＡＧＣ電圧を電圧変換器５３で変換した電圧によって、アンテナＡＮＴからの信号強度に応じた信号レベルとなるように行われる。減衰量が調整された信号は、ＢＰＦ２６でその通過帯域に制限され、さらにＲＦ増幅器２７で増幅され、そして、スイッチＳＷを経由して受信部２２に入力される。この間、ＲＦ増幅器２７の利得が、受信部２２からのＡＧＣ電圧により制御される。また、制御部２３はＬＰＦ２５に対し、カットオフ周波数を２４０ＭＨｚ以上の所定の周波数とする制御信号を与えるとともに、ＢＰＦ２６に対してはＢａｎｄ−IIIの受信信号が通過可能な通過帯域とする制御信号を与える。またこの間、周波数変換部３は、制御部２３からの制御信号により電源がオフとされる。
【００４２】
Ｌ−Ｂａｎｄを受信する場合には、スイッチＳＷを端子ｔ２側に切り換える。この場合、アンテナ入力端子２に入力されるアンテナＡＮＴからの信号は、周波数変換部３においてＢａｎｄ−IIIの周波数帯域（１７４〜２４０ＭＨｚ）内の周波数に変換される。周波数変換された信号は、スイッチＳＷを経由して受信部２２に入力され、復調される。その際、制御部２３はＬＰＦ２５に対しカットオフ周波数を１７４ＭＨｚ以下の所定の周波数とする制御信号を与え、また、ＢＰＦ２６には、通過周波数帯域を２４０ＭＨｚ以上とする制御信号を与える。また、制御部２３は電源制御信号によりＲＦ増幅器２７の電源を切るとともに、電源制御信号を電圧変換器５３に加えることによって、受信部２２からの電圧変換器５３へのＡＧＣ電圧の入力を切り、かつ可変減衰器５２の減衰量が最大となる電圧を電圧変換器５３から可変減衰器５２へ出力する。
【００４３】
なお、Ｂａｎｄ−III受信時には、制御部２３は電源制御信号によりＲＦ増幅器２７の電源をオンとするだけでなく、電源制御信号を電圧変換器５３に印加することによって、受信部２２からのＡＧＣ電圧を電圧変換器５３に入力させ、可変減衰器５２による減衰量がアンテナ入力端子２に入力される信号強度に応じた減衰量となるような電圧を可変減衰器５２に印加する。アンテナ入力端子２に入力される信号が強電界でない場合、可変減衰器５２による減衰量は可変減衰器５２の挿入による損失だけとなる。
【００４４】
よって、本実施形態によれば、Ｌ−Ｂａｎｄ受信時には、ＬＰＦ２５とＢＰＦ２６の組合せによる減衰効果に加え、可変減衰器５３による最大減衰量分の減衰効果を付与することができる。
【００４５】
【発明の効果】
以上説明したように本発明によれば、第２周波数帯の信号について復調が行われるときには、スイッチ手段に入力される第２周波数帯の信号を通過させるとともに、周波数変換がなされた第１周波数帯の信号について復調が行われるときには、スイッチ手段に入力される第２周波数帯の信号強度を減衰させるフィルタをスイッチ手段よりも前に設けたため、スイッチ手段に入力される第２周波数帯の信号による悪影響を受け、周波数変換がなされた第１周波数帯の信号について復調できなくなるのを防止することができる。また同時に、このフィルタを、第２周波数帯の信号のみを通過させ、抽出する手段として利用することができる。
【００４６】
また、第２周波数帯の信号の強度を、スイッチ手段への入力前に増幅する増幅手段を設けたため、スイッチ手段までの距離を短くする必要性を排除し、部品配置の自由度を確保することができる。また、周波数変換がなされた第１周波数帯の復調が行われるときには、増幅手段の電源をオフとして、スイッチ手段に入力される第２周波数帯の信号強度を減衰させることができる。さらに、スイッチ手段の前に増幅手段が位置するため、増幅手段までにおける受信信号の損失を減少させることができる。
【図面の簡単な説明】
【図１】本発明の一実施形態に係る受信機の構成を示すブロック図である。
【図２】図１の受信機においてＬ−Ｂａｎｄを受信するときのＬＰＦ２５及びＢＰＦ２６の通過帯域を示すグラフである。
【図３】図１の受信機においてＢａｎｄ−IIIを受信するときのＬＰＦ２５及びＢＰＦ２６の通過帯域を示すグラフである。
【図４】図１の受信機におけるＬＰＦ２５及びＢＰＦ２６の構成を示す回路図である。
【図５】本発明の他の実施形態に係る受信機の構成を示すブロック図である。
【図６】従来例に係るＤＡＢ用の受信機の構成を示すブロック図である。
【符号の説明】
１：Ｂａｎｄ−III受信部、２：アンテナ入力端子、３：周波数変換部、４：ＬＰＦ、５：ＢＰＦ、６：ＲＦ増幅器、７：周波数変換器、８：局部発振器、９：ＡＧＣ検波器、１０：ＲＦ増幅部、１１：周波数変換部、１２：ＡＧＣ検波器、１３：ＩＦ増幅部、１４：復調部、１５：ＢＰＦ、１６：ＲＦ増幅器、１７：ＢＰＦ、１８：局部発振器、１９：周波数変換器、２０：制御部、２１：Ｂａｎｄ−IIIＲＦ増幅部、２２：受信部、２３：制御部、２５：ＬＰＦ、２６：ＢＰＦ、２７：ＲＦ増幅器、２８：ＢＰＦ、２９：周波数変換部、３０：ＡＧＣ検波器、３１：ＩＦ増幅部、３２：復調部、３３：局部発振器、３４：周波数変換器、４１〜４４：通過帯域を示す斜線部、５１：Ｂａｎｄ−IIIＲＦ増幅部、５２：可変減衰器、５３：電圧変換器、ＡＮＴ：アンテナ、ＳＷ：スイッチ、ｔ１：入力端子、ｔ２：入力端子。
【図１】
0003735278.tif 000002
【図２】
0003735278.tif 000003
【図３】
0003735278.tif 000004
【図４】
0003735278.tif 000005
【図５】
0003735278.tif 000006
【図６】
0003735278.tif 000007